(57)【要約】      （修正有）【課題】  ツール保持ユニットの交換作業を容易に行うことができるとともに、鋼球及びコイルバネの発錆を回避することができるチェーン用工具ポットを提供すること。【解決手段】  一対の内プレート１２０、１２０と一対の外プレート１３０、１３０とを交互に連結する円筒状のホローピン１４０の内部にツール保持ユニット１５０が嵌着され、ツール保持ユニット１５０はホローピン１４０の内周面に形成した段部に一方端が係合し他方端がホローピン１４０に嵌着した止め輪１８０で抜け出しを防止されるとともに、ツール保持ユニット１５０は、プルスタッド挿入孔１５１が内部に形成されたツール保持部材１５２とツール保持部材１５２の外周に装着されたスリーブ状カバー１５５とからなるチェーン用工具ポット１１０。【選択図】  図２
2008036780.tif 000002
【特許請求の範囲】
【請求項１】
一対の内プレートと一対の外プレートとを交互に連結する円筒状のホローピンの内部にツールを着脱自在に保持するツール保持ユニットが嵌着され、該ツール保持ユニットは前記ホローピンの内周面に形成した段部に一方端が係合し他方端がホローピンに嵌着した止め輪で抜け止めされてなるチェーン用工具ポットにおいて、
前記ツール保持ユニットは、プルスタッド挿入孔が内部に形成されたツール保持部材と該ツール保持部材の外周に装着されたスリーブ状カバーとからなり、
前記ツール保持部材は、該ツール保持部材の外周面から前記プルスタッド挿入孔に向けて貫通した複数の貫通孔と、該貫通孔の内部にそれぞれ配設されてプルスタッドを保持するように一部が前記プルスタッド挿入孔に突出した鋼球と、該鋼球を前記プルスタッド挿入孔から突出させる方向に付勢するコイルバネとを備え、
前記スリーブ状カバーは、前記貫通孔を塞ぐように前記ツール保持部材の外周面に装着されることにより前記コイルバネが外方に突出することを防止していることを特徴とするチェーン用工具ポット。
【発明の詳細な説明】
【技術分野】
【０００１】
本発明は、マシニングセンタ等の工作機械に装備される自動工具交換装置で使用されるチェーン用工具ポットに関する。
【背景技術】
【０００２】
従来、一対の内プレートと一対の外プレートとを交互に連結する円筒状のホローピンの内部にツールを着脱自在に保持するツール保持部材が嵌着され、該ツール保持部材は、プルスタッド挿入孔が内部に形成されたツール保持部材本体と、該ツール保持部材本体の外周面からプルスタッド挿入孔に向けて貫通した複数の貫通孔と、該貫通孔内にそれぞれ配設されてツールのプルスタッドを保持するように一部がプルスタッド挿入孔に突出した鋼球と、該鋼球をプルスタッド挿入孔から突出させる方向に付勢するコイルバネとからなるチェーン用工具ポットが知られている（例えば、特許文献１参照。）。
【特許文献１】特願２００５−３４４６３８号
【発明の開示】
【発明が解決しようとする課題】
【０００３】
図９に示すように、従来は、ホローピン２４０の後部端部にＣ型止め輪２８０を嵌着することでツール保持部材２５２の抜け出しを防止することが行われていた。しかし、ツール保持部材２５２をホローピン２４０から抜き出す場合、ツール保持部材２５２に設けられた貫通孔２５２ａの内部に配設されたバネ２５４が外周面に向けて突出し、突出したバネ２５４がホローピン２４０の内周面に形成されたＣ型止め輪２８０を嵌着するための凹溝２４６に引っかかってしまうという問題があった。その結果、ツール保持部材２５２を抜き出すためには、バネ２５４を変形させて抜くことになるため、人の手では難しく、またその際にホローピン２４０の内周面に損傷を与えてしまうため、事実上抜き出すことは不可能であった。また、ツール保持部材２５２をホローピン２４０に組み入れる場合においても、バネ２５４が外方に突出しないように複数のバネ２５４を同時に押圧しながらツール保持部材２５２をホローピン２４０に挿入しなければならず、ツール保持部材２５２の組み入れ作業に熟練した技術を要するという問題があった。
【０００４】
そして、上記のような問題があるため、工具ポット使用中に鋼球やバネが消耗し、ツール保持部材を交換する必要がある場合、ツール保持部材の出し入れ作業を行うことができず、その結果、工具ポット全体を交換しなければならないという問題があった。
【０００５】
そこで、本発明は、従来技術の問題を解決し、ツール保持ユニットの交換作業を可能にするとともに、鋼球及びコイルバネの発錆を防止することができるチェーン用工具ポットを提供することを目的とする。
【課題を解決するための手段】
【０００６】
請求項１に係る本発明は、一対の内プレートと一対の外プレートとを交互に連結する円筒状のホローピンの内部にツールを着脱自在に保持するツール保持ユニットが嵌着され、該ツール保持ユニットは前記ホローピンの内周面に形成した段部に一方端が係合し他方端がホローピンに嵌着した止め輪で抜け止めされてなるチェーン用工具ポットにおいて、前記ツール保持ユニットは、プルスタッド挿入孔が内部に形成されたツール保持部材と該ツール保持部材の外周に装着されたスリーブ状カバーとからなり、前記ツール保持部材は、該ツール保持部材の外周面から前記プルスタッド挿入孔に向けて貫通した複数の貫通孔と、該貫通孔の内部にそれぞれ配設されてプルスタッドを保持するように一部が前記プルスタッド挿入孔に突出した鋼球と、該鋼球を前記プルスタッド挿入孔から突出させる方向に付勢するコイルバネとを備え、前記スリーブ状カバーは、前記貫通孔を塞ぐように前記ツール保持部材の外周面に装着されることにより前記コイルバネが外方に突出することを防止しているチェーン用工具ポットという構成により前記課題を解決したものである。
【発明の効果】
【０００７】
請求項１に係る本発明の低フリクションチェーンによれば、一対の内プレートと一対の外プレートとを交互に連結する円筒状のホローピンの内部にツールを着脱自在に保持するツール保持ユニットが嵌着され、該ツール保持ユニットは前記ホローピンの内周面に形成した段部に一方端が係合し他方端がホローピンに嵌着した止め輪で抜け止めされてなるチェーン用工具ポットにおいて、前記ツール保持ユニットは、プルスタッド挿入孔が内部に形成されたツール保持部材と該ツール保持部材の外周に装着されたスリーブ状カバーとからなり、前記ツール保持部材は、該ツール保持部材の外周面から前記プルスタッド挿入孔に向けて貫通した複数の貫通孔と、該貫通孔の内部にそれぞれ配設されてプルスタッドを保持するように一部が前記プルスタッド挿入孔に突出した鋼球と、該鋼球を前記プルスタッド挿入孔から突出させる方向に付勢するコイルバネとを備え、前記スリーブ状カバーは、前記貫通孔を塞ぐように前記ツール保持部材の外周面に装着されることにより前記コイルバネが外方に突出することを防止していることにより、ツール保持ユニットを一体のものとして取り扱うことができるので、ツール保持ユニットをホローピンから抜き出す場合、外方に突出したコイルバネがホローピンの内周面に形成された止め輪を嵌着するための凹溝に引っかかってしまう事態を回避でき、ツール保持ユニットのホローピンへの組み入れ作業ならびにホローピンからの抜き出し作業を容易に行うことができる。
【０００８】
そして、上述したように、ツール保持ユニットの交換作業を迅速かつ簡便に達成できるので、工具ポット使用中の鋼球やコイルバネの消耗によって、ツール保持ユニット単位で交換が必要となった場合に、容易に交換作業を行うことができ、その結果、工具ポット全体を交換する必要がなくなる。
【０００９】
また、スリーブ状カバーにより貫通孔が塞がれているので、グリース等の潤滑材を貫通孔内に封入することができ、貫通孔内に配設された鋼球及びコイルバネの発錆の不具合を回避することができ、ツール保持ユニットはコイルバネによって付勢された鋼球によって確実にツールを保持することができる。
【発明を実施するための最良の形態】
【００１０】
本発明の実施例を図１乃至図８に基づいて説明する。なお、ツール保持ユニット１５０に設けられた貫通孔１５２ａは、図６、図８においては３個であるものとして表し、図１、図２、図３、図５においては４個であるものとして表している。
【００１１】
ツール保持搬送チェーン１００は、図１乃至図４に示すように、対向する一対の内プレート１２０、１２０と一対の外プレート１３０、１３０とをホローピン１４０で交互に連結して無端状のチェーンとしたものである。また、チェーン用工具ポット１１０は、ホローピン１４０の内部にツール保持ユニット１５０が嵌着されたものである。
【００１２】
ホローピン１４０は、図１乃至図４に示すように、両端部を中間部よりも小径として外周面の両側に外周段部１４１、１４１を形成した円筒体であって、この外周段部１４１に内プレート１２０及び外プレート１３０をこれらプレートにそれぞれ設けられた挿入孔１２１、１３１を介して装着することにより、一対の内プレート１２０、１２０及び外プレート１３０、１３０が交互に連結されている。そして、外周段部１４１、１４１に設けた固定リング用溝１４２、１４２に固定リング１６０、１６０が嵌着されたことにより、内プレート１２０及び外プレート１３０の抜け出しが防止される。
【００１３】
ホローピン１４０内部の中空部は、図１乃至図５に示すように、前部をツール挿入部１４３とすると共に、開口端部に形成されたテーパスリーブ用段部１４４には樹脂製のテーパスリーブ１７０が装着され、後部には前部よりも大径としたツール保持ユニット用段部１４５が形成され、このツール保持ユニット用段部１４５にはツール保持ユニット１５０が嵌着され、そして、後部端部に形成された止め輪用溝１４６には、止め輪１８０が嵌着され、ツール保持ユニット１５０の抜け出しが防止される。
【００１４】
ツール保持ユニット１５０は、図５乃至図８に示すように、プルスタッド挿入孔１５１が内部に形成されたツール保持部材１５２と、ツール保持部材１５２の外周面からプルスタッド挿入孔１５１に向けて貫通した複数の貫通孔１５２ａと、貫通孔１５２ａ内にそれぞれ配設されてツールＴのプルスタッドＰを係止する鋼球１５３と、貫通孔１５２ａ内にそれぞれ配設されて鋼球１５３をプルスタッド挿入孔１５１から突出させる方向にそれぞれ付勢するコイルバネ１５４と、ツール保持部材１５２の外周面に形成されたスリーブ状カバー用段部１５２ｂに装着されたスリーブ状カバー１５５とが一体化して形成されている。なお、貫通孔１５２ａのプルスタッド挿入孔１５１側の端部はテーパ状に狭まっており、鋼球１５３は一部がプルスタッド挿入孔１５１に突出した状態で配置されている。また、スリーブ状カバー１５５はツール保持部材１５２の外周面側から貫通孔１５２ａを塞ぐように装着されている。
【００１５】
次に、チェーン用工具ポット１１０の組立方法を図５に基づいて説明する。まず、ツール保持部材１５２に設けられた貫通孔１５２ａに鋼球１５３をツール保持部材１５２の外周面側から投入した後、貫通孔１５２ａ内にコイルバネ１５４を配置する。次いで、コイルバネ１５４が外方に突出しないように押圧しながら、スリーブ状カバー１５５をツール保持部材１５２の外周面に形成されたスリーブ状カバー用段部１５２ｂに装着することにより、ツール保持ユニット１５０を組み立てる。
【００１６】
そして、ツール保持ユニット１５０をホローピン１４０の内部に形成されたツール保持ユニット用段部１４５に配置する。次いで、止め輪１８０に形成された孔１８１（図７参照。）に工具を差し込んで止め輪１８０の径を圧縮し、圧縮された止め輪１８０をホローピン１４０の後部端部に形成された止め輪用溝１４６に係合するように配置した後、止め輪１８０の径を拡大させて、止め輪用溝１４６に嵌着する。
【００１７】
次に、チェーン用工具ポット１１０の作用効果を以下説明する。ツール保持ユニット１５０は、貫通孔１５２ａ内にコイルバネ１５４によって付勢された鋼球１５３を設けていることにより、チェーン用工具ポット１１０にツールＴを装着した場合、図３に示すように、ツールＴはプルスタッドＰを鋼球１５３により挟持されて着脱自在に保持される。
【００１８】
ツール保持ユニット１５０は、ツール保持ユニット１５０の外周面に形成されたスリーブ状カバー用段部１５２ｂに貫通孔１５２ａを塞ぐようにスリーブ状カバー１５５が装着されているので、貫通孔１５２ａの内部に配設されたコイルバネ１５４が外部に突出することを防止するとともに、グリース等の潤滑材を貫通孔１５２ａ内に注入した場合には、該潤滑材を貫通孔１５２ａ内に封入する。
【００１９】
このようにして得られた本実施例のチェーン用工具ポット１１０は、ツール保持ユニット１５０が、ツール保持部材１５２と、ツール保持部材１５２に設けられた貫通孔１５２aと、貫通孔１５２ａ内にそれぞれ配設された鋼球１５３及びコイルバネ１５４と、ツール保持部材１５２の外周面に形成されたスリーブ状カバー用段部１５２ｂに貫通孔１５２ａを塞ぐように装着されたスリーブ状カバー１５５とが一体化して形成されたことにより、ツール保持ユニット１５２をホローピン１４０から抜き出す場合、外方に突出したコイルバネ１５４がホローピン１４０の内周面に形成された止め輪用溝１４６に引っかかってしまう事態を回避でき、ツール保持ユニット１５２のホローピン１４０への組み入れ作業ならびにホローピン１４０からの抜き出し作業を迅速かつ簡便に達成できる。
【００２０】
そして、上述したように、ツール保持ユニット１５０の交換作業を迅速かつ簡便に達成できるので、鋼球１５３やコイルバネ１５４の消耗により、新しいツール保持ユニットに交換する交換する必要がある場合でも、容易に交換作業を行うことができる。
【００２１】
すなわち、工具ポット１１０の使用により鋼球１５３やコイルバネ１５４が消耗した場合、ホローピン１４０の後部端部に嵌着されていた止め輪１８０を取り外した後、一体化されているツール保持ユニット１５０を抜き出し、新しい保持ユニットをホローピン１４０に組み入れ、次いで止め輪１８０を再びホローピン１４０に嵌着する。このような簡便な作業のみでツール保持部材を交換することができるので、迅速かつ容易に交換作業が達成でき、その結果、ツール保持ユニット１５０の交換のみで済むため、工具ポット１１０を交換するためにチェーン１００を分解する必要が無くなる。
【００２２】
また、スリーブ状カバー１５５により貫通孔１５２ａが塞がれているので、グリース等の潤滑材を貫通孔１５２ａ内に封入することができ、貫通孔１５２ａ内に配設された鋼球１５３やコイルバネ１５４の発錆等の不具合を回避することができ、ツール保持ユニット１５０はコイルバネ１５４によって付勢された鋼球１５３によって確実にツールＴを保持することができる。
【００２３】
以上、本発明の実施例として、テーパスリーブは樹脂製のものとして説明したが、天然ゴム製、合成ゴム製、合成樹脂製のものであってもよい。また、ツール保持ユニットに設けられた貫通孔が３、４個のものとして説明したが、少なくとも３個設けられたものであればよい。
【図面の簡単な説明】
【００２４】
【図１】本発明実施例のチェーン用工具ポットを用いたツール保持搬送チェーンを示す一部平面図である。
【図２】チェーン用工具ポットの断面図である。
【図３】チェーン用工具ポットにツールを装着した状態の断面図である。
【図４】チェーン用工具ポットの分解斜視図である。
【図５】チェーン用工具ポットの組立図である。
【図６】ツール保持ユニットの一部切欠斜視図である。
【図７】止め輪の斜視図である。
【図８】チェーン用工具ポットの平面図である。
【図９】従来のＣ型止め輪を嵌着したチェーン用工具ポットの断面図である。
【符号の説明】
【００２５】
１００          ・・・  ツール保持搬送チェーン
１１０          ・・・  チェーン用工具ポット
１２０          ・・・  内プレート
１２１          ・・・  挿入孔
１３０          ・・・  外プレート
１３１          ・・・  挿入孔
１４０          ・・・  ホローピン
１４１          ・・・  外周段部
１４２          ・・・  固定リング用溝
１４３          ・・・  ツール挿入部
１４４          ・・・  テーパスリーブ用段部
１４５          ・・・  ツール保持ユニット用段部
１４６          ・・・  止め輪用溝
１５０          ・・・  ツール保持ユニット
１５１          ・・・  プルスタッド挿入孔
１５２          ・・・  ツール保持部材
１５２ａ        ・・・  貫通孔
１５２ｂ        ・・・  スリーブ状カバー用段部
１５３          ・・・  鋼球
１５４          ・・・  コイルバネ
１５５          ・・・  スリーブ状カバー
１６０          ・・・  固定リング
１７０          ・・・  テーパスリーブ
１８０          ・・・  止め輪
１８１          ・・・  孔
Ｔ、Ｔａ        ・・・  ツール
Ｓ              ・・・  シャンク
Ｐ              ・・・  プルスタッド
【図１】
2008036780.tif 000003
【図２】
2008036780.tif 000004
【図３】
2008036780.tif 000005
【図４】
2008036780.tif 000006
【図５】
2008036780.tif 000007
【図６】
2008036780.tif 000008
【図７】
2008036780.tif 000009
【図８】
2008036780.tif 000010
【図９】
2008036780.tif 000011